(57)【要約】      （修正有）【課題】室内の衛生性を保ちつつエネルギーロスを削減できる換気装置を提供する。【解決手段】換気装置は、給気用送風機と、排気用送風機と、室内に給気される外気と室外に排気される室内気との熱交換を行う熱交換器と、給気用送風機の給気風量及び排気用送風機の排気風量を独立に可変制御する制御装置と、空気調和機から運転モード及び設定温度の情報を取得する空気調和機通信回路と、を備え、制御装置は、運転モードが冷房モードである場合、室内の温度が設定温度よりも低いか、又は室内の温度から室外の温度を減じた温度差が第１閾値温度差よりも低いときには、給気風量を第１風量だけ排気風量よりも大きく設定し、室内の温度が設定温度よりも高く、かつ温度差が第１閾値温度差よりも高いときには、給気風量を、第１風量よりも大きい第２風量だけ排気風量よりも大きく設定する。【選択図】図１０
2015169399.tif 000002
【特許請求の範囲】
【請求項１】
外気を室外から室内に給気する給気用送風機と、
室内気を前記室内から前記室外に排気する排気用送風機と、
前記室内に給気される前記外気と前記室外に排気される前記室内気との熱交換を行う熱交換器と、
前記給気用送風機の給気風量及び前記排気用送風機の排気風量を独立に可変制御する制御手段と、
前記室内の温度を調節する空気調和機から前記空気調和機の運転モード及び設定温度の情報を取得する通信手段と、
を備え、
前記制御手段は、
前記運転モードが冷房モードである場合、
前記室内の温度が前記設定温度よりも低いか、又は前記室内の温度から前記室外の温度を減じた温度差が第１閾値温度差よりも低いときには、前記給気風量を第１風量だけ前記排気風量よりも大きく設定し、
前記室内の温度が前記設定温度よりも高く、かつ前記温度差が前記第１閾値温度差よりも高いときには、前記給気風量を、前記第１風量よりも大きい第２風量だけ前記排気風量よりも大きく設定し、
前記運転モードが暖房モードである場合、
前記室内の温度が前記設定温度よりも高いか、又は前記温度差が第２閾値温度差よりも高いときには、前記給気風量を第３風量だけ前記排気風量よりも大きく設定し、
前記室内の温度が前記設定温度よりも低く、かつ前記温度差が前記第２閾値温度差よりも低いときには、前記給気風量を前記第３風量よりも大きい第４風量だけ前記排気風量よりも大きく設定することを特徴とする換気装置。
【請求項２】
前記通信手段は、前記室内を加湿する加湿器から前記加湿器の設定湿度の情報を取得するものであり、
前記制御手段は、
前記室内の湿度が前記設定湿度よりも高いか、又は前記室内の湿度から前記室外の湿度を減じた湿度差が閾値湿度差よりも高いときには、前記給気風量を第５風量だけ前記排気風量よりも大きく設定し、
前記室内の湿度が前記設定湿度よりも低く、かつ前記湿度差が前記閾値湿度差よりも低いときには、前記給気風量を、前記第５風量よりも大きい第６風量だけ前記排気風量よりも大きく設定することを特徴とする請求項１に記載の換気装置。
【請求項３】
前記制御手段は、
前記室外の風速が閾値風速以下である場合には、前記給気風量を第７風量だけ前記排気風量よりも大きく設定し、
前記室外の風速が前記閾値風速よりも高い場合には、前記給気風量を、前記第７風量よりも大きい第８風量だけ前記排気風量よりも大きく設定することを特徴とする請求項１又は請求項２に記載の換気装置。
【発明の詳細な説明】
【技術分野】
【０００１】
本発明は、室内に給気される外気と室外に排気される室内気との熱交換を行う熱交換器を備えた換気装置に関するものである。
【背景技術】
【０００２】
特許文献１には、供給ダクトを通じて吸い込んだ室外空気を第１風量として室内に供給し、排気ダクトを通じて吸い込んだ室内空気を第１風量より大きい第２風量として室外に排出する空気調和機の換気風量制御方法が記載されている。特許文献１には、この換気風量制御方法によれば、室内空間と室外とに生じる圧力差によって室外空気が室内に流入し易くなるため、換気効率が向上することが記載されている。
【０００３】
特許文献２には、外気を室の天井又は天井近傍から室内に直接供給する手段と、室内の空気を排出する床面近傍に設けた排気口とを備え、室内の気圧を室外の気圧よりも高く維持する空気調和システムが記載されている。特許文献２には、この空気調和システムによれば、隙間風が室内に入り込むことなく換気ができ、床面近傍に停滞する冷気のみを排除することができるので、換気をしながらも室内の温熱環境を向上させることができることが記載されている。
【先行技術文献】
【特許文献】
【０００４】
【特許文献１】特開２００５−８３７３１号公報
【特許文献２】特開平１０−１１０９７２号公報
【発明の概要】
【発明が解決しようとする課題】
【０００５】
しかしながら、特許文献１に記載された換気風量制御方法では、室内の圧力が室外の圧力よりも低くなるため、窓やドアを開放したときに、室外から室内に空気が流入してしまう。この際に、室外の塵埃なども一緒に室内に流入してしまうため、室内の衛生性が損なわれてしまうという問題点があった。
【０００６】
また、特許文献２に記載された空気調和システムでは、室内の圧力が室外の圧力よりも高くなるため、空気調和機の暖房運転又は冷房運転などによって温度調節された室内の空気が室外に流出してしまい、エネルギーロスが多くなってしまうという問題点があった。
【０００７】
本発明は、上述のような問題点を解決するためになされたものであり、室内の衛生性を保ちつつエネルギーロスを削減できる換気装置を提供することを目的とする。
【課題を解決するための手段】
【０００８】
本発明に係る換気装置は、外気を室外から室内に給気する給気用送風機と、室内気を前記室内から前記室外に排気する排気用送風機と、前記室内に給気される前記外気と前記室外に排気される前記室内気との熱交換を行う熱交換器と、前記給気用送風機の給気風量及び前記排気用送風機の排気風量を独立に可変制御する制御手段と、前記室内の温度を調節する空気調和機から前記空気調和機の運転モード及び設定温度の情報を取得する通信手段と、を備え、前記制御手段は、前記運転モードが冷房モードである場合、前記室内の温度が前記設定温度よりも低いか、又は前記室内の温度から前記室外の温度を減じた温度差が第１閾値温度差よりも低いときには、前記給気風量を第１風量だけ前記排気風量よりも大きく設定し、前記室内の温度が前記設定温度よりも高く、かつ前記温度差が前記第１閾値温度差よりも高いときには、前記給気風量を、前記第１風量よりも大きい第２風量だけ前記排気風量よりも大きく設定し、前記運転モードが暖房モードである場合、前記室内の温度が前記設定温度よりも高いか、又は前記温度差が第２閾値温度差よりも高いときには、前記給気風量を第３風量だけ前記排気風量よりも大きく設定し、前記室内の温度が前記設定温度よりも低く、かつ前記温度差が前記第２閾値温度差よりも低いときには、前記給気風量を前記第３風量よりも大きい第４風量だけ前記排気風量よりも大きく設定することを特徴とするものである。
【発明の効果】
【０００９】
本発明によれば、室内空気の温度条件が悪い場合には、室内と室外との圧力差を大きく（室内の圧力をより高く）することができる。これにより、ドアや窓などの空気出入口が開放されたときに、温度条件の悪い室内空気を空気出入口から室外へ流出しやすくすることができる。したがって、空気調和機の負荷を抑制でき、エネルギーロスを削減することができる。また、本発明によれば、室内の圧力を室外の圧力よりも高くできるため、室内の衛生性を保つことができる。
【図面の簡単な説明】
【００１０】
【図１】本発明の実施の形態１に係る換気装置１の概略構成を示す図である。
【図２】本発明の実施の形態１に係る換気装置１の建物２０への設置例を示す図である。
【図３】本発明の実施の形態１に係る換気装置１の制御装置１１のブロック構成図である。
【図４】本発明の実施の形態１に係る換気装置１の動作の一例を示すタイミングチャートである。
【図５】本発明の実施の形態１に係る換気装置１において、リモコン４０の設定値及び屋外の風速に応じて給気風量及び排気風量を判定するための判定テーブルの一例を示す図である。
【図６】本発明の実施の形態１に係る換気装置１のマイクロコンピュータ３３で実行される処理の流れを示すフローチャートである。
【図７】本発明の実施の形態２に係る換気装置１の概略構成を示す図である。
【図８】本発明の実施の形態２に係る換気装置１の建物２０への設置例を示す図である。
【図９】本発明の実施の形態２に係る換気装置１の制御装置１１のブロック構成図である。
【図１０】本発明の実施の形態２に係る換気装置１の冷房時の動作の一例を示すタイミングチャートである。
【図１１】本発明の実施の形態２に係る換気装置１において、リモコン４０の設定値、室内温度及び室内外の温度差に応じて冷房時の給気風量及び排気風量を判定するための判定テーブルの一例を示す図である。
【図１２】本発明の実施の形態２に係る換気装置１の暖房時の動作の一例を示すタイミングチャートである。
【図１３】本発明の実施の形態２に係る換気装置１において、リモコン４０の設定値、室内温度及び室内外の温度差に応じて暖房時の給気風量及び排気風量を判定するための判定テーブルの一例を示す図である。
【図１４】本発明の実施の形態２に係る換気装置１のマイクロコンピュータ３３で実行される処理の流れを示すフローチャートである。
【図１５】本発明の実施の形態３に係る換気装置１の概略構成を示す図である。
【図１６】本発明の実施の形態３に係る換気装置１の制御装置１１のブロック構成図である。
【図１７】本発明の実施の形態４に係る換気装置１において、冷房時の給気風量及び排気風量を判定するための判定テーブルの一例を示す図である。
【図１８】本発明の実施の形態４に係る換気装置１において、暖房時の給気風量及び排気風量を判定するための判定テーブルの一例を示す図である。
【発明を実施するための形態】
【００１１】
実施の形態１．
本発明の実施の形態１に係る換気装置について説明する。図１は、本実施の形態に係る換気装置１（熱交換換気装置）の概略構成を示す図である。なお、図１を含む以下の図面では、各構成部材の寸法の関係や形状等が実際のものとは異なる場合がある。
【００１２】
図１に示すように、換気装置１は、熱交換器２、排気用送風機３及び給気用送風機４が本体箱体１２に組み込まれた構成を有している。給気用送風機４は、室外側吸込口７（ＯＡ）から熱交換器２の一方の流路を経由して室内側吐出口８（ＳＡ）に至る給気風路５内（例えば、給気の流れにおいて熱交換器２の下流側）に配置されている。給気用送風機４は、室外（以下、「屋外」という場合がある）の空気（外気）を室外側吸込口７から吸い込み、熱交換器２を通過させ、室内側吐出口８から室内に供給するものである。排気用送風機３は、室内側吸込口９（ＲＡ）から熱交換器２の他方の流路を経由して室外側吐出口１０（ＥＡ）に至る排気風路６内（例えば、排気の流れにおいて熱交換器２の下流側）に配置されている。排気用送風機３は、室内の空気（室内気）を室内側吸込口９から吸い込み、熱交換器２を通過させ、室外側吐出口１０から室外に排出するものである。
【００１３】
熱交換器２は、給気用送風機４により室内に供給される室外の空気と、排気用送風機３により室外に排出される室内の空気との間で、空気対空気の熱交換を行う。給気用送風機４及び排気用送風機３は、それぞれ可変の風量（本例では、複数の風量段数）で動作可能である。制御装置１１（制御手段）は、給気用送風機４の給気風量及び排気用送風機３の排気風量を、互いに独立に可変制御（本例では、風量段数制御）するようになっている。
【００１４】
図２は、本実施の形態に係る換気装置１の建物２０への設置例を示す図である。図２に示す建物２０は、例えば、自動ドアや窓などの開閉可能な空気出入口２１が設けられた店舗やオフィスビルなどである。換気装置１は、建物２０のフロアの上部（例えば、天井裏）に設置される。換気装置１の室外側吸込口７及び室外側吐出口１０は、それぞれダクトなどを介して又は直接、室外の給気口２０１及び排気口２０２に接続される。換気装置１の室内側吸込口９及び室内側吐出口８は、それぞれダクトなどを介して又は直接、室内の給気口２０３及び排気口２０４に接続される。空気出入口２１の近傍には、室外の風速（自然風の風速）を検出する風速センサ２２が設置される。風速センサ２２は、信号線を介して制御装置１１に接続される。風速センサ２２は、検出した室外の風速の情報を風速信号として制御装置１１に出力する。
【００１５】
図３は、本実施の形態に係る換気装置１の制御装置１１のブロック構成図である。図３に示すように、制御装置１１は、マイクロコンピュータ３３、電源回路３２、給気用送風機駆動回路３４、排気用送風機駆動回路３５、風速センサ検知回路３８、リモートコントローラ（以下、「リモコン」と略す）通信回路３９及び機能設定回路４１を有している。マイクロコンピュータ３３は、ＣＰＵ、記憶部、タイマ、入出力部などを備えている。
【００１６】
電源回路３２は、商用電源３１から供給された電力を用いて、制御装置１１内のマイクロコンピュータ３３や各回路及び送風機を駆動させるための電力を生成する回路である。風速センサ検知回路３８は、風速センサ２２からの風速信号を入力する回路である。すなわち、風速センサ２２からの風速信号は、風速センサ検知回路３８を介してマイクロコンピュータ３３に入力される。リモコン通信回路３９は、換気装置１に接続されるリモコン４０との通信を行う回路である。リモコン４０では、換気装置１の運転状態や排気用送風機３及び給気用送風機４の動作風量などの情報の表示、換気装置１の運転／停止操作、排気用送風機３及び給気用送風機４の動作ノッチ（風量段数）の設定操作などが行われる。リモコン４０からの操作信号は、リモコン通信回路３９を介してマイクロコンピュータ３３に入力される。また、リモコン４０への表示信号は、マイクロコンピュータ３３からリモコン通信回路３９を介してリモコン４０へ入力される。機能設定回路４１は、換気装置１の動作などを設定するためのスイッチ類を含むものである。機能設定回路４１からの設定信号は、マイクロコンピュータ３３に入力される。
【００１７】
マイクロコンピュータ３３は、風速センサ検知回路３８、リモコン通信回路３９及び機能設定回路４１などから入力した信号に基づいて、給気用送風機４を駆動するための給気用送風機駆動回路３４、及び排気用送風機３を駆動するための排気用送風機駆動回路３５のそれぞれに、駆動指令信号を出力する。
【００１８】
次に、上記の構成を有する換気装置１の動作について説明する。図４は、換気装置１の動作の一例を示すタイミングチャートである。図４の横軸は、時間経過を表している。図４の縦軸は、上段から順に、風速センサ２２で検出される屋外（室外）の風速、給気風量と排気風量の差（＝給気風量−排気風量）、給気用送風機４による給気風量、排気用送風機３による排気風量、をそれぞれ表している。また、図４の最下段は、使用者により設定されるリモコン４０の設定値（換気装置１の運転／停止状態、運転状態の場合は風量段数）を表している。
【００１９】
ここで、屋外の風速は、マイクロコンピュータ３３において、閾値Ｗ（閾値風速）を境に強弱が判定される。すなわち、風速が閾値Ｗよりも高い場合には風（風速）が「強い」と判定され、風速が閾値Ｗ以下である場合には風（風速）が「弱い」と判定される。閾値Ｗは、屋外から室内へ風が吹き込まないように設定する必要がある。
【００２０】
後述するように、本実施の形態では、給気用送風機４による室内への給気風量を排気送風機による屋外への排気風量よりも大きくする。これにより、空気出入口２１が開放されても、空気出入口２１を介して屋外から室内へ空気が流入しないように、室内と屋外とに圧力差をつける。しかしながら、屋外の風速がその圧力差を乗り越えるほど高い場合には、屋外の塵埃などが室内へ侵入してしまう。そこで、一般的に風速が５ｍ／ｓ程度以上になると砂ぼこりが立ち、紙片が舞い上がることから、本実施の形態では５ｍ／ｓを閾値Ｗとする。なお、機能設定回路４１によって閾値Ｗを変更できるようにしてもよい。
【００２１】
遅延時間Ｔは、屋外の風速が「強い」から「弱い」に変更されるまでの時間である。屋外を吹く風の風速は、常に安定せず揺らいでいる。そこで、屋外の風速を「強い」から「弱い」に変更するのは、所定の遅延時間Ｔだけ閾値Ｗを超える風速の風が吹かなかった場合とする。すなわち、風速が「強い」に設定されている状態で、遅延時間Ｔだけ連続して閾値Ｗを超える風速の風が吹かなかった場合には、風速が「強い」から「弱い」に変更される。遅延時間Ｔは、例えば２時間などに設定される。なお、機能設定回路４１によって遅延時間Ｔを変更できるようにしてもよい。
【００２２】
図５は、リモコン４０の設定値及び屋外の風速に応じて給気風量及び排気風量を判定するための判定テーブルの一例を示している。図５に示す判定テーブルは、マイクロコンピュータ３３の記憶部に記憶されている。図５に示すように、排気風量は、屋外の風速の強弱に関わらず、リモコン４０の設定値（風量段数）と同じ段数に設定される。給気風量は、屋外の風速が強い場合には、排気風量の段数よりも２段高い段数（又は給気用送風機４の最高の段数（本例では４段））に設定され、屋外の風速が弱い場合には、排気風量の段数よりも１段高い段数（又は給気用送風機４の最高の段数）に設定される。
【００２３】
図４及び図５を用いて、換気装置１の動作について時系列に説明する。初期状態のリモコン４０の設定値は「停止」とする。
【００２４】
図４に示す時刻ｔ１に、使用者による換気装置１の運転開始操作がリモコン４０で行われたものとする。このとき、リモコン４０の設定値（風量段数）は「１段」とする。時刻ｔ１における屋外の風速は閾値Ｗよりも低いので、風速は「弱い」と判定される。これにより、給気風量と排気風量との差は相対的に小さい値（第７風量）に設定される。したがって、給気風量は「２段」、排気風量は「１段」に設定される（図５参照）。
【００２５】
時刻ｔ２に、使用者の操作によってリモコン４０の設定値が「２段」に変更されたものとする。時刻ｔ２における屋外の風速は閾値Ｗよりも低いので、風速は「弱い」と判定される。これにより、給気風量と排気風量との差は相対的に小さい値に設定される。したがって、給気風量は「３段」、排気風量は「２段」に設定される（図５参照）。
【００２６】
時刻ｔ３に、屋外の風速が閾値Ｗを超えたものとする。これにより、風速が「強い」と判定され、給気風量と排気風量との差が相対的に大きい値（第８風量）に設定される。したがって、給気風量は「４段」、排気風量は「２段」に設定される（図５参照）。
【００２７】
時刻ｔ４に、使用者の操作によってリモコン４０の設定値が「１段」に変更されたものとする。少なくとも時刻ｔ４以前の遅延時間Ｔの間に、閾値Ｗを超える風速が検知されているため、風速は「強い」と判定され、給気風量と排気風量との差は相対的に大きい値に設定される。したがって、給気風量は「３段」、排気風量は「１段」に設定される（図５参照）。
【００２８】
時刻ｔ５以降に、屋外の風速が閾値Ｗよりも低くなったものとする。これにより、時刻ｔ５から遅延時間Ｔが経過した時刻ｔ６に、風速が「弱い」と判定され、給気風量と排気風量との差が相対的に小さい値に設定される。したがって、時刻ｔ６には、給気風量は「２段」、排気風量は「１段」に設定される（図５参照）。
【００２９】
図６は、上記の動作を実現するためにマイクロコンピュータ３３で実行される処理（風速の強弱を判定する処理）の流れを示すフローチャートである。図６に示す処理は、換気装置１への電源が投入されたことを契機として開始される。図６に示すように、まず初めに、屋外の風速を初期値である「弱い」に設定する（ステップＳ１）。この風速の設定（本例では、「弱い」／「強い」の２値）は、マイクロコンピュータ３３の記憶部に設けられた所定の記憶領域に記憶され、設定が変更される度に上書きされる。
【００３０】
次に、風速センサ２２からの風速信号に基づき、屋外の風速を検知する（ステップＳ２）。
【００３１】
次に、風速センサ２２の状態（異常／正常）を判定する（ステップＳ３）。ステップＳ２で風速を検知できた場合には風速センサ２２の状態を正常と判定し、風速センサ２２の故障や風速センサ２２と制御装置１１との間を繋ぐ信号線の切断などの異常により、風速を検知できなかった場合には、風速センサ２２の状態を異常と判定する。風速センサ２２の状態が異常である場合には、屋外の風速を「強い」に設定する（ステップＳ４）。すなわち、風速センサ２２の状態が異常である場合には、実際の風速の強弱に関わらず風速を「強い」に設定することにより、屋外から室内への塵埃の侵入を防止するようになっている。また、ステップＳ４では、風速タイマを０にクリアする。ここで、風速タイマは、マイクロコンピュータ３３に設けられたタイマであり、常に経過時間をカウントするものである。風速タイマの値は、風速を「強い」に設定した場合（風速センサ２２の状態が異常である場合を含む）にクリアされる。ステップＳ４の処理が終了した場合には、ステップＳ２に戻る。
【００３２】
一方、風速センサ２２の状態が正常である場合には、屋外の風速と閾値Ｗとを比較する（ステップＳ５）。屋外の風速が閾値Ｗ以上である場合（又は、屋外の風速が閾値Ｗよりも高い場合）には、屋外の風速を「強い」に設定するとともに、風速タイマを０にクリアする（ステップＳ４）。屋外の風速が閾値Ｗ未満である場合（又は、屋外の風速が閾値Ｗ以下である場合）には、ステップＳ６の処理に移行する。
【００３３】
ステップＳ６では、風速タイマの値と遅延時間Ｔとを比較する。風速タイマの値が遅延時間Ｔ以上の場合（すなわち、最後に風速を「強い」に設定してからの経過時間が遅延時間Ｔ以上の場合）には、屋外の風速を「弱い」に設定する（ステップＳ７）。その後、ステップＳ２に戻る。一方、風速タイマの値が遅延時間Ｔ未満の場合には、そのままステップＳ２に戻る。すなわち、風速タイマの値が遅延時間Ｔ未満の場合には、風速を「強い」に設定してから遅延時間Ｔだけ経過していないため、風速の設定値を変更しない。
【００３４】
以上のようなステップＳ２〜Ｓ７の処理は、換気装置１への電源が遮断されるまで繰り返して実行される。給気風量及び排気風量は、上記の手順で設定された風速の設定値を用いて、図５に示す判定テーブルに基づき設定される。
【００３５】
以上説明したように、本実施の形態に係る換気装置１は、外気を室外から室内に給気する給気用送風機４と、室内気を室内から室外に排気する排気用送風機３と、室内に給気される外気と室外に排気される室内気との熱交換を行う熱交換器２と、給気用送風機４の給気風量及び排気用送風機３の排気風量を独立に可変制御する制御装置１１と、を備え、制御装置１１は、室外の風速が閾値Ｗ以下である場合には、給気風量を第７風量だけ排気風量よりも大きく設定し、室外の風速が閾値Ｗよりも高い場合には、給気風量を、第７風量よりも大きい第８風量だけ排気風量よりも大きく設定するものである。
【００３６】
この構成によれば、室外の風速が強い場合には、室内と室外との圧力差を大きく（室内の圧力をより高く）することができる。これにより、室外から室内への塵埃の流入を防止することができる。また、室外の風速が弱い場合には、室内と室外との圧力差を小さくすることができる。これにより、空気調和機の暖房運転又は冷房運転などによって温度調節された室内の空気や、調湿装置の加湿運転又は除湿運転などによって湿度調節された室内の空気が、ドアや窓などの空気出入口２１が開放されたときに室外へ流出する量を抑制することができる。したがって、室内の衛生性を保ちつつエネルギーロスを削減することができる。
【００３７】
実施の形態２．
本発明の実施の形態２に係る換気装置について説明する。図７は、本実施の形態に係る換気装置１の概略構成を示す図である。なお、実施の形態１の換気装置と同一の機能及び作用を有する構成要素については、同一の符号を付してその説明を省略する。図７に示すように、本実施の形態の換気装置１は、外気の温度（室外温度）を検出する室外温度センサ１３と、室内気の温度（室内温度）を検出する室内温度センサ１４と、を有している。室外温度センサ１３は、給気風路５のうち、熱交換器２よりも上流側に設けられている。室内温度センサ１４は、排気風路６のうち、熱交換器２よりも上流側に設けられている。
【００３８】
図８は、本実施の形態に係る換気装置１の建物２０への設置例を示す図である。図８に示すように、換気装置１は、室内温度を調節するための空気調和機１０１が設けられた建物２０に設置されている。換気装置１及び空気調和機１０１は、建物２０内を空気調和する空気調和システムを構成する。換気装置１と空気調和機１０１との間は、通信線１０２を介して接続されている。換気装置１は、通信線１０２を介して、空気調和機１０１の運転モード（暖房、冷房など）や設定温度などの情報を受け取ることができる。空気調和機１０１は、空気調和機１０１用のリモコン（図示せず）によって運転モードや設定温度を設定することができるようになっている。なお、本実施の形態の換気装置１には風速センサ２２が設けられていないが、風速センサ２２が設けられていてもよい。
【００３９】
図９は、本実施の形態に係る換気装置１の制御装置１１のブロック構成図である。図９に示すように、制御装置１１は、図３に示した制御装置１１と比較すると、空気調和機通信回路１１０（通信手段）及び温度センサ検知回路１１１、１１２をさらに有している。空気調和機通信回路１１０は、空気調和機１０１との通信を行う回路である。空気調和機１０１の運転モードや設定温度などの情報は、空気調和機通信回路１１０を介してマイクロコンピュータ３３に入力される。温度センサ検知回路１１１は、室内温度センサ１４からの温度信号を入力する回路である。室内温度センサ１４からの温度信号は、温度センサ検知回路１１１を介してマイクロコンピュータ３３に入力される。温度センサ検知回路１１２は、室外温度センサ１３からの温度信号を入力する回路である。室外温度センサ１３からの温度信号は、温度センサ検知回路１１２を介してマイクロコンピュータ３３に入力される。なお、本実施の形態の制御装置１１には風速センサ検知回路３８が設けられていないが、風速センサ検知回路３８が設けられていてもよい。また、室内温度及び室外温度の情報は、空気調和機通信回路１１０を介して空気調和機１０１から入力されるようにしてもよい。
【００４０】
マイクロコンピュータ３３は、空気調和機通信回路１１０、温度センサ検知回路１１１、１１２、リモコン通信回路３９及び機能設定回路４１などから入力した信号に基づいて、給気用送風機駆動回路３４及び排気用送風機駆動回路３５のそれぞれに駆動指令信号を出力する。
【００４１】
次に、上記の構成を有する換気装置１の動作について説明する。まず、空気調和機１０１の運転モードが冷房モードのとき（冷房時）の換気装置１の動作について説明する。図１０は、換気装置１の冷房時の動作の一例を示すタイミングチャートである。図１０の横軸は、時間経過を表している。図１０の縦軸は、上段から順に、室内温度センサ１４で検出される室内温度、室内温度と室外温度との温度差（＝室内温度−室外温度）、給気風量と排気風量との差（＝給気風量−排気風量）、給気用送風機４による給気風量、排気用送風機３による排気風量、をそれぞれ表している。また、図１０の最下段は、リモコン４０の設定値（換気装置１の運転／停止状態、運転状態の場合は風量段数）と、空気調和機１０１の運転モード（本例では冷房）とを表している。
【００４２】
室内温度は、マイクロコンピュータ３３において、空気調和機１０１の設定温度を元に設定される設定温度Ｔｓｅｔと設定温度Ｔｓｅｔから一定の差を持つ設定温度Ｔｄｅｆ（冷房時にはＴｓｅｔ＞Ｔｄｅｆ）とを基準として、高低が判定される。設定温度Ｔｄｅｆは、室内温度が設定温度Ｔｓｅｔ近傍で変動した場合に、給気用送風機４又は排気用送風機３の動作風量が頻繁に変動すること（ハンチング）を防止するために設定される値である。すなわち、設定温度Ｔｓｅｔと設定温度Ｔｄｅｆとの間には、ディファレンシャルが設定される。例えば、空気調和機１０１の運転モードが冷房モードの場合、
設定温度Ｔｓｅｔ  ＝  空気調和機１０１の設定温度  −  １℃
設定温度Ｔｄｅｆ  ＝  設定温度Ｔｓｅｔ  −  １℃
に設定され、空気調和機１０１の運転モードが暖房モードの場合、
設定温度Ｔｓｅｔ  ＝  空気調和機１０１の設定温度  ＋  １℃
設定温度Ｔｄｅｆ  ＝  設定温度Ｔｓｅｔ  ＋  １℃
に設定される。
【００４３】
ここで、設定温度Ｔｓｅｔ及び設定温度Ｔｄｅｆは、機能設定回路４１により切り換えることができるようにしてもよい。あるいは、室内温度の高低を判定する周期を一定の時間間隔（例えば１分）とすることで、給気用送風機４又は排気用送風機３の動作風量が頻繁に変動することを防止してもよい。
【００４４】
室内温度と室外温度との温度差は、マイクロコンピュータ３３において、温度差ΔＴｓｅｔと温度差ΔＴｓｅｔから一定の差をもつ温度差ΔＴｄｅｆとを基準（閾値温度差）として、高低が判定される。温度差ΔＴｓｅｔは、室外の空気を取り入れた方が空気調和機１０１の負荷を減らせるような値（例えば、０℃）に設定される。温度差ΔＴｄｅｆは、室内温度と室外温度との温度差が温度差ΔＴｓｅｔ近傍で変動した場合に、給気用送風機４又は排気用送風機３の動作風量が頻繁に変動することを防止するために設定される値である。すなわち、温度差ΔＴｓｅｔと温度差ΔＴｄｅｆとの間には、ディファレンシャルが設定される。例えば、空気調和機１０１の運転モードが冷房モードの場合、
温度差ΔＴｄｅｆ  ＝  温度差ΔＴｓｅｔ  −  １℃
に設定され、空気調和機１０１の運転モードが暖房モードの場合、
温度差ΔＴｄｅｆ  ＝  温度差ΔＴｓｅｔ  ＋  １℃
に設定される。
【００４５】
ここで、温度差ΔＴｓｅｔ及び温度差ΔＴｄｅｆは、空気調和機１０１の運転モードに基づいて個別に設定されるようにしてもよいし、上記の設定温度Ｔｄｅｆと連動して設定されるようにしてもよい。また、温度差ΔＴｓｅｔ及び温度差ΔＴｄｅｆは、機能設定回路４１により切り換えることができるようにしてもよい。あるいは、温度差の高低を判定する周期を一定の時間間隔（例えば１分）とすることで、給気用送風機４又は排気用送風機３の動作風量が頻繁に変動することを防止してもよい。
【００４６】
図１１は、リモコン４０の設定値、室内温度、及び室内温度と室外温度との温度差に応じて冷房時の給気風量及び排気風量を判定するための判定テーブルの一例を示している。なお、暖房時用の判定テーブルについては後述する。図１１に示す冷房時用の判定テーブル、及び後述する暖房時用の判定テーブルは、マイクロコンピュータ３３の記憶部に記憶されている。図１１に示すように、排気風量は、室内温度の高低及び温度差の高低に関わらず、リモコン４０の設定値（風量段数）と同じ段数に設定される。給気風量は、室内温度が高くかつ温度差も高い場合には、排気風量の段数よりも２段高い段数（又は給気用送風機４の最高の段数（本例では４段））に設定され、それ以外の場合には、排気風量の段数よりも１段高い段数（又は給気用送風機４の最高の段数）に設定される。
【００４７】
図１０及び図１１を用いて、換気装置１の冷房時の動作について時系列に説明する。初期状態のリモコン４０の設定値は「停止」とし、空気調和機１０１の運転モードは「冷房」とする。
【００４８】
図１０に示す時刻ｔ１に、使用者による換気装置１の運転開始操作がリモコン４０で行われたものとする。このとき、リモコン４０の設定値（風量段数）は「１段」とする。時刻ｔ１における室内温度は設定温度Ｔｓｅｔよりも低いため、室内温度は「低い」と判定される。室内温度と室外温度との温度差は温度差ΔＴｄｅｆよりも高いため、温度差は「高い」と判定される。したがって、給気風量は「２段」、排気風量は「１段」に設定され（図１１参照）、給気風量と排気風量との差は相対的に小さい値（第１風量）に設定される。
【００４９】
時刻ｔ２に、室内温度が設定温度Ｔｓｅｔよりも高くなったものとする。このとき、室内温度は「高い」と判定される。室内温度と室外温度との温度差は温度差ΔＴｄｅｆよりも高いため、温度差は「高い」と判定される。したがって、給気風量は「３段」、排気風量は「１段」に設定され（図１１参照）、給気風量と排気風量との差は相対的に大きい値（第２風量）に設定される。
【００５０】
時刻ｔ３に、使用者の操作によってリモコン４０の設定値が「２段」に変更されたものとする。このとき、室内温度は設定温度Ｔｄｅｆよりも高いため、室内温度は「高い」と判定される。室内温度と室外温度との温度差は温度差ΔＴｄｅｆよりも高いため、温度差は「高い」と判定される。したがって、給気風量は「４段」、排気風量は「２段」に設定され（図１１参照）、給気風量と排気風量との差は相対的に大きい値のまま維持される。
【００５１】
時刻ｔ４に、室内温度と室外温度との温度差が温度差ΔＴｄｅｆよりも低くなったものとする。このとき、温度差は「低い」と判定される。室内温度は設定温度Ｔｄｅｆよりも高いため、室内温度は「高い」と判定される。したがって、給気風量は「３段」、排気風量は「２段」に設定され（図１１参照）、給気風量と排気風量との差は相対的に小さい値に設定される。
【００５２】
時刻ｔ５に、使用者の操作によってリモコン４０の設定値が「１段」に変更されたものとする。このとき、室内温度は設定温度Ｔｄｅｆよりも高いため、室内温度は「高い」と判定される。室内温度と室外温度との温度差は温度差ΔＴｓｅｔよりも低いため、温度差は「低い」と判定される。したがって、給気風量は「２段」、排気風量は「１段」に設定され（図１１参照）、給気風量と排気風量との差は相対的に小さい値のまま維持される。
【００５３】
時刻ｔ６に、室内温度と室外温度との温度差が温度差ΔＴｓｅｔよりも高くなったものとする。このとき、温度差は「高い」と判定される。室内温度は設定温度Ｔｄｅｆよりも高いため、室内温度は「高い」と判定される。したがって、給気風量は「３段」、排気風量は「１段」に設定され（図１１参照）、給気風量と排気風量との差が相対的に大きい値に設定される。
【００５４】
時刻ｔ７に、室内温度が設定温度Ｔｄｅｆよりも低くなったものとする。このとき、室内温度は「低い」と判定される。室内温度と室外温度との温度差は温度差ΔＴｄｅｆよりも高いため、温度差は「高い」と判定される。したがって、給気風量は「２段」、排気風量は「１段」に設定され（図１１参照）、給気風量と排気風量との差は相対的に小さい値に設定される。
【００５５】
次に、空気調和機１０１の運転モードが暖房モードのとき（暖房時）の換気装置１の動作について説明する。図１２は、換気装置１の暖房時の動作の一例を示すタイミングチャートである。図１２の横軸及び縦軸については図１０と同様である。図１３は、リモコン４０の設定値、室内温度、及び室内温度と室外温度との温度差に応じて暖房時の給気風量及び排気風量を判定するための判定テーブルの一例を示している。図１３に示すように、排気風量は、室内温度の高低及び温度差の高低に関わらず、リモコン４０の設定値（風量段数）と同じ段数に設定される。給気風量は、室内温度が低くかつ温度差も低い場合には、排気風量の段数よりも２段高い段数（又は給気用送風機４の最高の段数（本例では４段））に設定され、それ以外の場合には、排気風量の段数よりも１段高い段数（又は給気用送風機４の最高の段数）に設定される。
【００５６】
図１２及び図１３を用いて、換気装置１の暖房時の動作について時系列に説明する。初期状態のリモコン４０の設定値は「停止」とし、空気調和機１０１の運転モードは「暖房」とする。
【００５７】
図１２に示す時刻ｔ１に、使用者による換気装置１の運転開始操作がリモコン４０で行われたものとする。このとき、リモコン４０の設定値（風量段数）は「１段」とする。時刻ｔ１における室内温度は設定温度Ｔｓｅｔよりも高いため、室内温度は「高い」と判定される。室内温度と室外温度との温度差は温度差ΔＴｓｅｔよりも高いため、温度差は「高い」と判定される。したがって、給気風量は「２段」、排気風量は「１段」に設定され（図１３参照）、給気風量と排気風量との差は相対的に小さい値（第３風量）に設定される。
【００５８】
時刻ｔ２に、室内温度が設定温度Ｔｓｅｔよりも低くなり、かつ、室内温度と室外温度との温度差が温度差ΔＴｓｅｔよりも低くなったものとする。このとき、室内温度及び温度差はいずれも「低い」と判定される。したがって、給気風量は「３段」、排気風量は「１段」に設定され（図１３参照）、給気風量と排気風量との差は相対的に大きい値（第４風量）に設定される。
【００５９】
時刻ｔ３に、使用者の操作によってリモコン４０の設定値が「２段」に変更されたものとする。このとき、室内温度は設定温度Ｔｄｅｆよりも低いため、室内温度は「低い」と判定される。室内温度と室外温度との温度差は温度差ΔＴｄｅｆよりも低いため、温度差は「低い」と判定される。したがって、給気風量は「４段」、排気風量は「２段」に設定され（図１３参照）、給気風量と排気風量との差は相対的に大きい値のまま維持される。
【００６０】
時刻ｔ４に、室内温度と室外温度との温度差が温度差ΔＴｄｅｆよりも高くなったものとする。このとき、温度差は「高い」と判定される。室内温度は設定温度Ｔｄｅｆよりも低いため、室内温度は「低い」と判定される。したがって、給気風量は「３段」、排気風量は「２段」に設定され（図１３参照）、給気風量と排気風量との差は相対的に小さい値に設定される。
【００６１】
時刻ｔ５に、使用者の操作によってリモコン４０の設定値が「１段」に変更されたものとする。このとき、室内温度は設定温度Ｔｄｅｆよりも低いため、室内温度は「低い」と判定される。室内温度と室外温度との温度差は温度差ΔＴｓｅｔよりも高いため、温度差は「高い」と判定される。したがって、給気風量は「２段」、排気風量は「１段」に設定され（図１３参照）、給気風量と排気風量との差は相対的に小さい値のまま維持される。
【００６２】
時刻ｔ６に、室内温度と室外温度との温度差が温度差ΔＴｓｅｔよりも低くなったものとする。このとき、温度差は「低い」と判定される。室内温度は設定温度Ｔｄｅｆよりも低いため、室内温度は「低い」と判定される。したがって、給気風量は「３段」、排気風量は「１段」に設定され（図１３参照）、給気風量と排気風量との差は相対的に大きい値に設定される。
【００６３】
時刻ｔ７に、室内温度が設定温度Ｔｄｅｆよりも高くなったものとする。このとき、室内温度は「高い」と判定される。室内温度と室外温度との温度差は温度差ΔＴｄｅｆよりも低いため、温度差は「低い」と判定される。したがって、給気風量は「２段」、排気風量は「１段」に設定され（図１３参照）、給気風量と排気風量との差は相対的に小さい値に設定される。
【００６４】
図１４は、上記の動作を実現するためにマイクロコンピュータ３３で実行される処理（室内温度の高低又は温度差の高低を判定する処理）の流れを示すフローチャートである。図１４に示す処理は、換気装置１の運転が開始されたことを契機として開始される。以下、主に室内温度の高低を判定する処理について説明するが、室内温度と室外温度との温度差の高低を判定する処理も同様の手順で行われる。
【００６５】
図１４に示すように、まず初めに、暖房時の温度（温度（暖房））及び冷房時の温度（温度（冷房））をそれぞれ初期値である「高い」及び「低い」に設定する（ステップＳ１００）。この温度の高低の設定（本例では、「高い」／「低い」の２値）は、記憶部に設けられた所定の記憶領域に記憶され、設定が変更される度に上書きされる。
【００６６】
次に、判定する温度データを取得する（ステップＳ１０１）。すなわち、室内温度の高低を判定する場合には、室内温度のデータを取得する。室内温度と室外温度との温度差の高低を判定する場合には、室内温度及び室外温度のデータを取得し、室内温度と室外温度との温度差を計算する。
【００６７】
次に、空気調和機１０１の動作モード（運転モード）の情報を取得し、動作モードを判定する（ステップＳ１０２）。空気調和機１０１の動作モードが冷房モードである場合にはステップＳ１１０の処理に移行し、暖房モードである場合にはステップＳ１２０の処理に移行し、それ以外の動作モード（例えば、送風モード）である場合にはステップＳ１３０の処理に移行する。
【００６８】
ステップＳ１１０では、暖房時の温度を初期値である「高い」に設定する。次に、取得した室内温度（又は計算した温度差）と設定温度Ｔｓｅｔ（又は温度差ΔＴｓｅｔ）とを比較する（ステップＳ１１１）。室内温度（又は温度差）が設定温度Ｔｓｅｔ（又は温度差ΔＴｓｅｔ）以上の場合には、冷房時の温度（室内温度又は温度差）を「高い」に設定し（ステップＳ１１２）、ステップＳ１０１に戻る。室内温度（又は温度差）が設定温度Ｔｓｅｔ（又は温度差ΔＴｓｅｔ）よりも低い場合には、室内温度（又は温度差）と設定温度Ｔｄｅｆ（又は温度差ΔＴｄｅｆ）とを比較する（ステップＳ１１３）。室内温度（又は温度差）が設定温度Ｔｄｅｆ（又は温度差ΔＴｄｅｆ）よりも低い場合には、冷房時の温度（室内温度又は温度差）を「低い」に設定し（ステップＳ１１４）、ステップＳ１０１に戻る。室内温度（又は温度差）が設定温度Ｔｄｅｆ（又は温度差ΔＴｄｅｆ）以上の場合には、温度の高低の設定を変更せず、そのままステップＳ１０１に戻る。
【００６９】
ステップＳ１２０では、冷房時の温度を初期値である「低い」に設定する。次に、取得した室内温度（又は計算した温度差）と設定温度Ｔｓｅｔ（又は温度差ΔＴｓｅｔ）とを比較する（ステップＳ１２１）。室内温度（又は温度差）が設定温度Ｔｓｅｔ（又は温度差ΔＴｓｅｔ）以下の場合には、暖房時の温度（室内温度又は温度差）を「低い」に設定し（ステップＳ１２２）、ステップＳ１０１に戻る。室内温度（又は温度差）が設定温度Ｔｓｅｔ（又は温度差ΔＴｓｅｔ）よりも高い場合には、室内温度（又は温度差）と設定温度Ｔｄｅｆ（又は温度差ΔＴｄｅｆ）とを比較する（ステップＳ１２３）。室内温度（又は温度差）が設定温度Ｔｄｅｆ（又は温度差ΔＴｄｅｆ）よりも高い場合には、暖房時の温度（室内温度又は温度差）を「高い」に設定し（ステップＳ１２４）、ステップＳ１０１に戻る。室内温度（又は温度差）が設定温度Ｔｄｅｆ（又は温度差ΔＴｄｅｆ）以下の場合には、温度の高低の設定を変更せず、そのままステップＳ１０１に戻る。
【００７０】
ステップＳ１３０では、暖房時の温度（温度（暖房））及び冷房時の温度（温度（冷房））をそれぞれ初期値である「高い」及び「低い」に設定し、ステップＳ１０１に戻る。給気風量及び排気風量は、上記の手順で設定された室内温度の設定値（「高い」／「低い」）及び温度差の設定値（「高い」／「低い」）を用いて、図１１及び図１３に示す判定テーブルに基づき設定される。
【００７１】
以上説明したように、本実施の形態に係る換気装置１は、外気を室外から室内に給気する給気用送風機４と、室内気を室内から室外に排気する排気用送風機３と、室内に給気される外気と室外に排気される室内気との熱交換を行う熱交換器２と、給気用送風機４の給気風量及び排気用送風機３の排気風量を独立に可変制御する制御装置１１と、室内の温度を調節する空気調和機１０１から空気調和機１０１の運転モード及び設定温度の情報を取得する空気調和機通信回路１１０と、を備え、制御装置１１は、運転モードが冷房モードである場合、室内の温度が設定温度（冷房時の設定温度Ｔｓｅｔ、Ｔｄｅｆ）よりも低いか、又は室内の温度から室外の温度を減じた温度差が第１閾値温度差（冷房時の温度差ΔＴｓｅｔ、ΔＴｄｅｆ）よりも低いときには、給気風量を第１風量だけ排気風量よりも大きく設定し、室内の温度が設定温度よりも高く、かつ温度差が第１閾値温度差よりも高いときには、給気風量を、第１風量よりも大きい第２風量だけ排気風量よりも大きく設定し、運転モードが暖房モードである場合、室内の温度が設定温度（暖房時の設定温度Ｔｓｅｔ、Ｔｄｅｆ）よりも高いか、又は温度差が第２閾値温度差（暖房時の温度差ΔＴｓｅｔ、ΔＴｄｅｆ）よりも高いときには、給気風量を第３風量だけ排気風量よりも大きく設定し、室内の温度が設定温度よりも低く、かつ温度差が第２閾値温度差よりも低いときには、給気風量を第４風量だけ排気風量よりも大きく設定するものである。
【００７２】
この構成によれば、室内空気の温度条件が悪い場合には、室内と室外との圧力差を大きく（室内の圧力をより高く）することができる。これにより、ドアや窓などの空気出入口２１が開放されたときに、温度条件の悪い室内空気を空気出入口２１から室外へ流出しやすくすることができる。したがって、空気調和機１０１の負荷を抑制でき、エネルギーロスを削減できる換気装置１及びそれを備えた空気調和システムを実現することができる。また、この構成によれば、室内の圧力を室外の圧力よりも高くできるため、室内の衛生性を保つことができる。
【００７３】
実施の形態３．
本発明の実施の形態３に係る換気装置について説明する。図１５は、本実施の形態に係る換気装置１の概略構成を示す図である。なお、実施の形態１又は２の換気装置と同一の機能及び作用を有する構成要素については、同一の符号を付してその説明を省略する。図１５に示すように、本実施の形態の換気装置１は、外気の湿度（室外湿度）を検出する室外湿度センサ３１３と、室内気の湿度（室内湿度）を検出する室内湿度センサ３１４と、を有している。室外湿度センサ３１３は、給気風路５のうち、熱交換器２よりも上流側に設けられている。室内湿度センサ３１４は、排気風路６のうち、熱交換器２よりも上流側に設けられている。本実施の形態の換気装置１は、室内湿度を調節する調湿装置３０１（図１６参照）が設けられた建物２０に設置されるものである。換気装置１及び調湿装置３０１は、建物２０内を空気調和する空気調和システムを構成する。本例の調湿装置３０１は、室内の加湿のみが可能な加湿器である。なお、調湿装置３０１は、加湿及び除湿の双方が可能なものであってもよいし、除湿のみが可能な除湿器であってもよい。また、本実施の形態の換気装置１には、風速センサ２２、室外温度センサ１３及び室内温度センサ１４が設けられていてもよい。
【００７４】
図１６は、本実施の形態に係る換気装置１の制御装置１１のブロック構成図である。図１６に示すように、制御装置１１は、図９に示した制御装置１１と比較すると、調湿装置通信回路３１０及び湿度センサ検知回路３１１、３１２をさらに有している。調湿装置通信回路３１０は、調湿装置３０１との通信を行う回路である。調湿装置３０１の運転モードや設定湿度などの情報は、調湿装置通信回路３１０を介してマイクロコンピュータ３３に入力される。マイクロコンピュータ３３に入力される調湿装置３０１の運転モードの情報には、調湿装置３０１の運転／停止の情報などが含まれ、加湿及び除湿の双方が可能な調湿装置３０１の場合には、加湿モード／除湿モードの情報などがさらに含まれる。湿度センサ検知回路３１１は、室内湿度センサ３１４からの湿度信号を入力する回路である。室内湿度センサ３１４からの湿度信号は、湿度センサ検知回路３１１を介してマイクロコンピュータ３３に入力される。湿度センサ検知回路３１２は、室外湿度センサ３１３からの湿度信号を入力する回路である。室外湿度センサ３１３からの湿度信号は、湿度センサ検知回路３１２を介してマイクロコンピュータ３３に入力される。なお、本実施の形態の制御装置１１には、風速センサ２２からの風速信号を入力する風速センサ検知回路３８、空気調和機１０１との通信を行う空気調和機通信回路１１０、温度センサからの温度信号を入力する温度センサ検知回路１１１、１１２が設けられていてもよい。
【００７５】
本実施の形態の換気装置１の動作、室内湿度の高低の判定方法、室内湿度と室外湿度との湿度差の高低の判定方法等は、実施の形態２と同様である。具体的には、加湿のみが可能な調湿装置３０１を用いる場合（又は、加湿及び除湿の双方が可能な調湿装置３０１を用いる場合の加湿時）には、実施の形態２の暖房モードの動作及び判定方法（図１２〜図１４参照）において対象を温度から湿度に変えたものと同様となる。除湿のみが可能な調湿装置３０１を用いる場合（又は、加湿及び除湿の双方が可能な調湿装置３０１を用いる場合の除湿時）には、実施の形態２の冷房モードの動作及び判定方法（図１０、図１１、図１４参照）において対象を温度から湿度に変えたものと同様となる。
【００７６】
以上説明したように、本実施の形態に係る換気装置１は、外気を室外から室内に給気する給気用送風機４と、室内気を室内から室外に排気する排気用送風機３と、室内に給気される外気と室外に排気される室内気との熱交換を行う熱交換器２と、給気用送風機４の給気風量及び排気用送風機３の排気風量を独立に可変制御する制御装置１１と、室内を加湿する調湿装置３０１（加湿器）から調湿装置３０１の設定湿度の情報を取得する調湿装置通信回路３１０と、を備え、制御装置１１は、室内の湿度が設定湿度よりも高いか、又は室内の湿度から室外の湿度を減じた湿度差が閾値湿度差よりも高いときには、給気風量を第５風量だけ排気風量よりも大きく設定し、室内の湿度が設定湿度よりも低く、かつ湿度差が閾値湿度差よりも低いときには、給気風量を、第５風量よりも大きい第６風量だけ排気風量よりも大きく設定するものである。
【００７７】
この構成によれば、室内空気の湿度条件が悪い場合には、室内と室外との圧力差を大きく（室内の圧力をより高く）することができる。これにより、ドアや窓などの空気出入口２１が開放されたときに、湿度条件の悪い室内空気を空気出入口２１から室外へ流出しやすくすることができる。したがって、調湿装置３０１の負荷を抑制でき、エネルギーロスを削減できる換気装置１及びそれを備えた空気調和システムを実現することができる。また、この構成によれば、室内の圧力を室外の圧力よりも高くできるため、室内の衛生性を保つことができる。
【００７８】
実施の形態４．
本発明の実施の形態４に係る換気装置について説明する。本実施の形態は、実施の形態１及び実施の形態２の構成を組み合わせたものである。
【００７９】
図１７は、冷房時の給気風量及び排気風量を判定するための判定テーブルの一例を示している。図１８は、暖房時の給気風量及び排気風量を判定するための判定テーブルの一例を示している。
【００８０】
図１７に示すように、空気調和機の運転モードが冷房モードである場合、「室内温度＝高い」、「温度差＝高い」及び「屋外の風速＝強い」の３つの条件を満たすときに、給気風量の段数を排気風量の段数よりも２段高く設定し、それ以外のときには給気風量の段数を排気風量の段数よりも１段高く設定する。
【００８１】
一方、図１８に示すように、空気調和機の運転モードが暖房モードである場合、「室内温度＝低い」、「温度差＝低い」及び「屋外の風速＝強い」の３つの条件を満たすときに、給気風量の段数を排気風量の段数よりも２段高く設定し、それ以外のときには給気風量の段数を排気風量の段数よりも１段高く設定する。
【００８２】
すなわち、本実施の形態では、実施の形態１において給気風量の段数を排気風量の段数よりも２段高く設定する条件（冷房運転時に「室内温度＝高い」かつ「温度差＝高い」、又は暖房運転時に「室内温度＝低い」かつ「温度差＝低い」）と、実施の形態２において給気風量の段数を排気風量の段数よりも２段高く設定する条件（「屋外の風速＝強い」）と、の双方を満たす場合に、給気風量の段数を排気風量の段数よりも２段高く設定する。それ以外の場合には給気風量の段数を排気風量の段数よりも１段高く設定する。
【００８３】
この構成によれば、室内空気の温度条件が悪く、かつ屋外の風速が強い場合には、室内と室外との圧力差を大きく（室内の圧力をより高く）することができる。これにより、ドアや窓などの空気出入口２１が開放されたときに、温度条件の悪い室内空気を空気出入口２１から室外へ流出しやすくすることができ、かつ室外から室内への塵埃の流入を防止することができる。したがって、空気調和機１０１の負荷を抑制でき、エネルギーロスを削減でき、さらに室内の衛生性を保つことができる換気装置１及びそれを備えた空気調和システムを実現することができる。
【００８４】
なお、本実施の形態では、実施の形態１において給気風量の段数を排気風量の段数よりも２段高く設定する条件と、実施の形態２において給気風量の段数を排気風量の段数よりも２段高く設定する条件と、の双方を満たす場合に、給気風量の段数を排気風量の段数よりも２段高く設定しているが、両条件の少なくとも一方を満たす場合に、給気風量の段数を排気風量の段数よりも２段高く設定してもよい。
【００８５】
また、本実施の形態では、実施の形態１及び２を組み合わせたものを例に挙げたが、例えば本実施の形態と同様の考え方により、実施の形態１及び３を組み合わせることもできるし、実施の形態２及び３を組み合わせることもできるし、実施の形態１〜３を組み合わせることもできる。すなわち、上記の実施の形態１〜３は、単独で実施されてもよく、組み合わせて実施されてもよい。いずれの場合においても、上述の有利な効果を奏することとなる。
【００８６】
その他の実施の形態．
本発明は、上記実施の形態に限らず種々の変形が可能である。
例えば、上記実施の形態では、換気装置１が風速センサ２２、室内温度センサ１４及び室外温度センサ１３、室内湿度センサ３１４及び室外湿度センサ３１３等のセンサ類を有しているが、換気装置１は、屋外の風速、室内温度、室外温度、室内湿度及び室外湿度等の情報を外部（例えば、空気調和機１０１、調湿装置３０１等）から取得するようにしてもよい。
【００８７】
また、上記実施の形態では、排気用送風機３及び給気用送風機４をそれぞれ複数の風量段数で動作させる例に挙げたが、排気用送風機３及び給気用送風機４をそれぞれ無段階の可変風量で動作させるようにしてもよい。
【００８８】
また、上記第２の実施の形態では、冷房運転及び暖房運転の双方が可能な空気調和機１０１を例に挙げたが、空気調和機１０１は、冷房運転又は暖房運転の一方のみが可能であってもよい。
【符号の説明】
【００８９】
１  換気装置、２  熱交換器、３  排気用送風機、４  給気用送風機、５  給気風路、６  排気風路、７  室外側吸込口、８  室内側吐出口、９  室内側吸込口、１０  室外側吐出口、１１  制御装置、１２  本体箱体、１３  室外温度センサ、１４  室内温度センサ、２０  建物、２１  空気出入口、２２  風速センサ、３１  商用電源、３２  電源回路、３３  マイクロコンピュータ、３４  給気用送風機駆動回路、３５  排気用送風機駆動回路、３８  風速センサ検知回路、３９  リモコン通信回路、４０  リモコン、４１  機能設定回路、１０１  空気調和機、１０２  通信線、１１０  空気調和機通信回路、１１１、１１２  温度センサ検知回路、２０１、２０３  給気口、２０２、２０４  排気口、３０１  調湿装置、３１０  調湿装置通信回路、３１１、３１２  湿度センサ検知回路、３１３  室外湿度センサ、３１４  室内湿度センサ。
【図１】
2015169399.tif 000003
【図２】
2015169399.tif 000004
【図３】
2015169399.tif 000005
【図４】
2015169399.tif 000006
【図５】
2015169399.tif 000007
【図６】
2015169399.tif 000008
【図７】
2015169399.tif 000009
【図８】
2015169399.tif 000010
【図９】
2015169399.tif 000011
【図１０】
2015169399.tif 000012
【図１１】
2015169399.tif 000013
【図１２】
2015169399.tif 000014
【図１３】
2015169399.tif 000015
【図１４】
2015169399.tif 000016
【図１５】
2015169399.tif 000017
【図１６】
2015169399.tif 000018
【図１７】
2015169399.tif 000019
【図１８】
2015169399.tif 000020